(57)【要約】【課題】  ディレクトリサーバおよび装置内の両方の情報を利用して、アドレス情報を効率よく簡単に入手して使い勝手を向上させる。【解決手段】  通信端末装置は、アドレス情報を記憶する登録情報記憶領域１２３と、ディレクトリサーバに対し、検索条件に基づいて、アドレス情報を問い合わせ、検索された該当するアドレス情報を受け取るアドレス情報取得部１０５と、登録情報記憶領域１２３のアドレス情報とアドレス情報取得部１０５によって受け取ったアドレス情報の両方のアドレス情報を表示する表示部１５と、を備える。【選択図】  図２
2005191920.tif 000002
【特許請求の範囲】
【請求項１】
アドレス情報を記憶する記憶手段を有する通信端末装置であって、
アドレス情報を問い合わせるための検索条件を受け付ける受付手段と、
アドレス情報を格納したデータベースを有するディレクトリサーバから、前記検索条件に基づき検索されたアドレス情報を取得する取得手段と、
前記記憶手段に記憶された前記アドレス情報の中から、前記検索条件に該当するアドレス情報を検出する検索手段と、
前記取得手段が取得した前記アドレス情報および前記検索手段が検出した前記アドレス情報を同時に通知する通知手段と、
を備えたことを特徴とする通信端末装置。
【請求項２】
請求項１に記載の通信端末装置において、
前記取得手段は、前記アドレス情報を、当該アドレス情報を提供したディレクトリサーバの識別情報に対応付けて取得し、
前記通知手段は、前記アドレス情報を、各アドレス情報の提供元を示す情報とともに通知することを特徴とする通信端末装置。
【請求項３】
請求項１または２に記載の通信端末装置において、
前記取得手段が取得した前記アドレス情報または前記検出手段が検出したアドレス情報の信頼性の度合いを検出する検出手段をさらに含み、
前記通知手段は、前記アドレス情報を、前記信頼性の度合いとともに通知することを特徴とする通信端末装置。
【発明の詳細な説明】
【技術分野】
【０００１】
本発明は、通信端末装置に関し、特に、ディレクトリサービスを利用してアドレス情報を取得して通信を行う通信端末装置に関する。
【背景技術】
【０００２】
ネットワーク技術の普及にともない、たとえばファクシミリ装置やＭＦＰ（Multi Functional Peripheral）などの情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファックス機能等を備え、他のファクシミリ装置、コンピュータ、およびインターネットファックス装置等と情報の送受信を行うことができる。
【０００３】
ファクシミリ装置を使い、ファクシミリ原稿を所定の送信先に送信する場合、ユーザは、送信する原稿をファクシミリ装置に読み取らせ、送信先のファクシミリ番号をダイヤルする。このダイヤル作業を簡単にするために、多くのファクシミリ装置は、たとえば短縮ダイヤルや電話帳などの機能を備える。
【０００４】
上述したように、ファクシミリ装置がネットワークに接続されることにより、ファクシミリ装置は、同じネットワークに接続されたディレクトリサーバに蓄積された情報を読み出すことが可能となってきた。
【０００５】
特許文献１には、ＬＤＡＰ（Lightweight Directory Access Protocol）に基づくディレクトリサービスにおいて、クライアント側からＬＤＡＰに基づく検索を検索用ディレクトリサーバに実行させ、必要な情報を検索する文書ファイル検索システムが開示されている。
【０００６】
このようなディレクトリサーバに、電話帳などの情報を登録しておくことにより、従来はファクシミリ装置毎に保有していた電話帳などの情報を一元管理することも可能となっている。
【特許文献１】特開２００１−３２５２９０号公報
【発明の開示】
【発明が解決しようとする課題】
【０００７】
しかし、電話帳などの情報は、ディレクトリサーバだけでなく、ファクシミリ装置自体にも短縮ダイヤルや電話帳として記憶しておくこともある。上述のようにディレクトリサーバを利用して情報が得られることは便利ではあるが、実際はファクシミリ装置自体の中に記憶されていることもあるのに、別々に操作しなければならなかった。
【０００８】
本発明は、上記背景の下でなされたものであり、その目的は、ディレクトリサーバおよび装置内の両方の情報を利用して、宛先のアドレス情報を効率よく入手できる通信端末装置を提供することにある。
【課題を解決するための手段】
【０００９】
本発明の通信端末装置は、アドレス情報を記憶する記憶手段を有する通信端末装置であって、アドレス情報を問い合わせるための検索条件を受け付ける受付手段と、アドレス情報を格納したデータベースを有するディレクトリサーバから、前記検索条件に基づき検索されたアドレス情報を取得する取得手段と、前記記憶手段に記憶された前記アドレス情報の中から、前記検索条件に該当するアドレス情報を検出する検索手段と、前記取得手段が取得した前記アドレス情報および前記検索手段が検出した前記アドレス情報を同時に通知する通知手段と、を備える。
【００１０】
本発明によれば、宛先のアドレス情報を入手するために、ディレクトリサーバに問い合わせるだけでなく、装置内の記憶手段に記憶されている情報の検索も行うことができる。これにより、ディレクトリサーバと装置内の記憶手段に記憶されている両方の情報を利用して、宛先のアドレス情報を効率よく入手することができる。
【００１１】
上記通信端末装置において、前記取得手段は、前記アドレス情報を、当該アドレス情報を提供したディレクトリサーバの識別情報に対応付けて取得し、前記通知手段は、前記アドレス情報を、各アドレス情報の提供元を示す情報とともに通知することができる。
【００１２】
上記通信端末装置において、前記取得手段が取得した前記アドレス情報または前記検出手段が検出したアドレス情報の信頼性の度合いを検出する検出手段をさらに含み、前記通知手段は、前記アドレス情報を、前記信頼性の度合いとともに通知することができる。
【００１３】
ここで、検出手段におけるアドレス情報の信頼性の度合いの検出方法は、アドレス情報の提供元の信頼性を定義した管理テーブルを準備し、この管理テーブルを参照して行うことができる。通信端末装置は、提供元毎に、提供されたアドレス情報の通信実績を分析し、提供元の信頼性を算出し、管理テーブルを更新する更新手段を設けることもできる。また、検出手段は、通信記録やアドレス情報の新規登録や変更の更新日時の記録を行い、これらの記録に基づいてアドレス情報の信頼性の度合いを検出することもできる。
【００１４】
この構成によれば、通信端末装置は、検索によって得られたアドレス情報を信頼性の度合いとともにユーザに通知することができる。これにより、一つの宛先に対して複数のアドレス情報が重複して得られてしまった場合でも、どのアドレス情報を使用すべきかユーザは判断しやすくなるので、使い勝手が向上する。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
上述のように、本発明によれば、ディレクトリサーバおよび装置内の両方の情報を利用して、宛先のアドレス情報を効率よく入手することができる通信端末装置が提供される。
【発明を実施するための最良の形態】
【００１７】
以下、本発明の実施の形態を図面を参照して説明する。
【００１８】
（第一の実施の形態）
図１は、本実施の形態の通信端末装置のネットワーク構成を示すブロック図である。通信端末装置１０は、ネットワーク４１を介して複数のディレクトリサーバ４３に接続される。各ディレクトリサーバ４３は、様々な情報が蓄積されたデータベース（不図示）を有する。通信端末装置１０は、ディレクトリサーバ４３に対して問い合わせを行い、情報を取得する。通信端末装置１０は、たとえば、ＬＤＡＰに基づくディレクトリサービスを利用して、ＬＤＡＰに基づく検索をディレクトリサーバ４３に実行させ、情報を取得する。
【００１９】
本実施の形態において、ディレクトリサーバ４３のデータベースには、複数の登録者について複数の項目を含むアドレス情報が格納されている。通信端末装置１０は、宛先のアドレス情報を得るために、ディレクトリサーバ４３に問い合わせを行い、ディレクトリサーバ４３に検索を実行させ、登録者の中から該当する情報を取得する。
【００２０】
通信端末装置１０は、他の通信端末装置と複数の通信方式で通信が可能である。通信端末装置１０は、たとえば、ＰＳＴＮ（公衆交換電話網）４５を通じて、電話機３０およびファックス端末３１と通信する。また、通信端末装置１０は、たとえば、インターネットなどのネットワーク４７を通じて、Ｅメール端末３３、ＩＰ電話端末３４およびインターネットファックス端末３５と通信する。
【００２１】
また、ここでは図示していないが、通信端末装置１０は、携帯電話端末と通信を行うこともでき、その場合、無線基地局および無線中継局を介して通信する。
【００２２】
通信端末装置１０が他の通信端末装置と通信を行う場合は、宛先のアドレス情報を指定する。宛先のアドレス情報は、各通信端末装置の種類によって異なり、たとえば、電話番号、ファクシミリ番号、メールアドレス、ＩＰ電話番号、インターネットファックス番号などが含まれる。
【００２３】
通信端末装置１０は、通信部１１と、操作部１３と、表示部１５と、制御部１７と、記憶装置１９と、インタフェース部２１と、を含む。通信端末装置１０は、たとえば、ネットワークファクシミリ装置、ＭＦＰ（Multi Functional Peripheral）などである。なお、図１において、本発明の本質に関わらない部分の構成については省略してあり、たとえば、ファクシミリ装置の構成である原稿読み取り部、画像処理部、および記録部や、電話装置の構成である音声出力部、集音部および音声処理部などは図示されていない。
【００２４】
また、通信端末装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２５】
通信部１１は、ファックス端末３１、Ｅメール端末３３およびインターネットファックス端末３５と通信を行う。
【００２６】
操作部１３は、通信端末装置１０のユーザが操作する各種設定および入力を受け付けるものであり、たとえば、操作ボタン、スイッチ、レバー、キーボード、タッチパネルなどである。
【００２７】
表示部１５は、各種情報表示、操作画面表示、通信端末装置１０の動作や状態表示などを行うものであり、たとえば、ランプ、ＬＥＤ、ＣＲＴモニタ、液晶ディスプレイなどである。
【００２８】
制御部１７は、通信端末装置１０の各種要素とともに装置全体を制御する。
【００２９】
記憶装置１９は、ディレクトリサーバ４３から取得した検索結果を一時的に記憶する取得情報記憶領域と、通信端末装置１０が保有する電話帳などのアドレス情報を記憶する登録情報記憶領域と含む。これらの領域の詳細については後述する。
【００３０】
インタフェース部２１は、ネットワーク４１を介して接続される複数のディレクトリサーバ４３との通信を可能とする。
【００３１】
図２は、通信端末装置１０の制御部１７を詳細に示す機能ブロック図である。制御部１７は、通信方式指定部１０１と、検索条件受付部１０３と、アドレス情報取得部１０５と、検索部１０６と、第１の抽出部１１５ａと、第２の抽出部１１５ｂと、表示処理部１０９と、指示受付部１１１と、通信制御部１１３とを含む。また、記憶装置１９は、取得情報記憶領域１２１および登録情報記憶領域１２３を有する。
【００３２】
通信方式指定部１０１は、通信する通信方式を指定する。通信方式指定部１０１は、たとえば、ユーザがファックス端末３１に情報を送信する場合、通信方式としてＰＳＴＮを利用したファックス通信を指定する。また、通信方式指定部１０１は、ユーザがＥメール端末３３に情報を送信する場合、通信方式としてメール通信を指定し、ユーザがインターネットファックス端末３５に情報を送信する場合、通信方式としてＩＰファックス通信を指定する。
【００３３】
検索条件受付部１０３は、アドレス情報を問い合わせるための検索条件の入力をユーザから受け付ける。
【００３４】
アドレス情報取得部１０５は、複数のアドレス情報を格納したデータベースを有するディレクトリサーバ４３に対し、検索条件に基づいてアドレス情報を問い合わせる。また、ディレクトリサーバ４３から返信された検索結果のアドレス情報を取得する。このとき、アドレス情報取得部１０５は、アドレス情報を提供したディレクトリサーバ４３の識別情報と対応付けて取得する。アドレス情報取得部１０５は、取得したアドレス情報とディレクトリサーバ４３の識別情報を記憶装置１９の検索結果記憶領域１２１に格納する。
【００３５】
抽出部１１５は、ディレクトリサーバ４３から取得した情報の抽出処理を行う第１の抽出部１１５ａと記憶装置１９の登録情報記憶領域１２３の情報の抽出処理を行う第２の抽出部１１５ｂとを有する。第１の抽出部１１５ａは、取得情報記憶領域１２１に格納されたアドレス情報の中から、通信方式指定部１０１によって指定された通信方式に適したアドレス情報を抽出する。第２の抽出部１１５ｂは、登録情報記憶領域１２３に記憶されたアドレス情報を検索条件受付部１０３が受け付けた検索条件に基づいて検索を行い、検索したアドレス情報の中から、通信方式指定部１０１によって指定された通信方式に適したアドレス情報を抽出する。
【００３６】
表示処理部１０９は、表示部１５に各種情報を表示する処理を行う。指示受付部１１１は、ユーザからの各種の指示を受け付け、受け付けた指示を該当するユニットに通知する。通信制御部１１３は、指示受付部１１１が受け付けた指示および通信方式指定部１０１で指定された通信方式にしたがい、通信部１１における通信を制御する。
【００３７】
このように構成された通信端末装置１０の動作について以下に説明する。図３は、通信端末装置１０の動作を示すフローチャートである。
【００３８】
まず、通信方式指定部１０１が、複数の通信方式の中から、通信を行う通信方式を少なくとも一つ指定する（Ｓ１１）。
【００３９】
次いで、検索を行うディレクトリサーバが少なくとも一つ選択される（Ｓ１３）。具体的には、まず、表示部１５にディレクトリサーバ４３の選択画面が表示される。ユーザは、選択画面を参照してディレクトリサーバ４３を選択する。指示受付部１１１は、ユーザの指示を受け付け、アドレス情報取得部１０５に通知する。なお、このステップは省略することもできる。たとえば、検索を行うディレクトリサーバ４３は予め設定されていてもよい。また、アドレス情報取得部１０５により自動的に適切なディレクトリサーバ４３が選択されてもよい。あるいは、複数のディレクトリサーバ４３に同時にまたは順次問い合わせが行われるようにしてもよい。
【００４０】
つづいて、検索条件が入力される（Ｓ１５）。ユーザが宛先の名称の少なくとも一部を入力すると、検索条件受付部１０３がその宛名の一部を検索条件として受け付ける。
【００４１】
その後、検索が実行される（Ｓ１７）。アドレス情報取得部１０５が、インタフェース部２１を介して、検索条件に基づいて、ディレクトリサーバ４３にアドレス情報を検索させる。次いで、検索結果が取得される（Ｓ１９）。アドレス情報取得部１０５は、取得した検索結果を提供したディレクトリサーバ４３の識別情報に対応付けて取得し、アドレス情報とともに取得情報記憶領域１２１に格納する。
【００４２】
つづいて、第１の抽出部１１５ａは、取得情報記憶領域１２１に格納された取得情報の中から、ステップＳ１１で指定された通信方式に適したアドレス情報のみを抽出する（Ｓ２１）。
【００４３】
一方、ステップＳ１７と並行して、第２の抽出部１１５ｂは、登録情報記憶領域１２３に格納された登録情報の中から、ステップＳ１５で受け付けた検索条件に基づいて検索を行うとともに、ステップＳ１１で指定された通信方式に適したアドレス情報のみを抽出する（Ｓ２３）。
【００４４】
表示処理部１０９は、表示部１５に、ステップＳ２１とステップＳ２３で抽出されたアドレス情報を、当該アドレス情報の提供元を示す識別情報とともに検索結果として表示させる（Ｓ２５）。
【００４５】
つづいて、表示された検索結果の中から宛先が選択される（Ｓ２７）。ユーザは、表示部１５に表示された検索結果を参照して宛先を選択することができる。指示受付部１１１は、ユーザの選択を受け付け、受け付けた宛先のアドレス情報を通信制御部１１３に通知する。その後、ユーザが通信スタートを指示すると、通信が開始される（Ｓ２９）。
【００４６】
図４は、抽出された検索結果の表示例を示す。検索結果としては、宛先の名前７１と、宛先のアドレス情報、ここではファクシミリ番号７３と、アドレス情報の提供元を示す情報源７５と、が表示される。情報源７５の欄には、ステップＳ２７で付与された識別情報がそれぞれ表示される。
【００４７】
以上のようにして、本実施の形態の通信端末装置１０によれば、ディレクトリサーバ４３と記憶装置１９に記憶されている両方の情報を利用して、宛先のアドレス情報を効率よく入手することができる。
【００４８】
（第二の実施の形態）
本実施の形態においても、通信端末装置１０は、第一の実施の形態において図１を参照して説明したのと同様のネットワーク構成を有する。本実施の形態において、通信端末装置１０は、取得したアドレス情報の信頼性の度合いを検出することができる。
【００４９】
信頼性の度合いは、たとえば、アドレス情報の提供元の信頼性、アドレス情報の通信実績を含む最新の通信記録、または、新規登録または変更されたアドレス情報の更新記録などによって決定される。提供されたアドレス情報の通信の成功率が高い提供元ほど信頼性は高くなる。また、通信記録において通信実績のあるアドレス情報ほど信頼性は高くなる。あるいは、通信記録において通信失敗の記録のあるアドレス情報は、信頼性は低くなる。また、更新記録において、新規登録や変更の更新日時が新しいアドレス情報ほど信頼性は高くなる。
【００５０】
通信端末装置１０は、複数の異なる情報提供元から一つの宛先に対して複数の異なるアドレス情報が重複して得られた場合に、アドレス情報を信頼性の高い順にユーザに通知する。
【００５１】
図５は、本実施の形態の通信端末装置１０の制御部１７を示す機能ブロック図である。制御部１７は、アドレス情報登録部１３１と、通信検知部１３３と、管理部１３５と、ソート部１３７とを有する。また、記憶装置１９は、管理テーブル記憶領域１２５を有する。また、ここでは省略しているが、制御部１７は、図２に示したのと同様、通信方式指定部１０１、検索条件受付部１０３、およびアドレス情報取得部１０５を含む。
【００５２】
本実施の形態において、指示受付部１１１は、ユーザからのアドレス情報の新規登録、削除、および変更などの指示を受け付ける。アドレス情報登録部１３１は、指示受付部１１１が受け付けたアドレス情報の新規登録の指示に応じて、新規登録のアドレス情報を登録情報記憶領域１２３に記憶させる。また、アドレス情報登録部１３１は、指示受付部１１１が受け付けたアドレス情報の変更の指示に応じて、登録情報記憶領域１２３に記憶されている該当するアドレス情報を変更する。さらに、アドレス情報登録部１３１は、これらの登録および変更されたアドレス情報とその更新日時を管理部１３５に通知する。
【００５３】
通信検知部１３３は、通信制御部１１３によって行われた通信の日時と、通信状況を検知し、該当するアドレス情報、通信状況、通信日時を管理部１３５に通知する。管理部１３５は、アドレス情報登録部１３１および通信検知部１３３から受け取ったアドレス情報や日時などの情報を管理テーブルに記録し、管理テーブル記憶領域１２５に格納する。
【００５４】
ソート部１３７は、管理テーブル記憶領域１２５の管理テーブルを参照して、抽出部１１５で抽出されたアドレス情報を信頼性が高い順に並び替える。
【００５５】
管理テーブル記憶領域１２５は、抽出部１１５で抽出されたアドレス情報の信頼性の度合いを検出するのに用いる情報を管理する管理テーブルを有する。図６は、管理テーブル記憶領域１２５に記憶される管理テーブルの例を示している。
【００５６】
図６（ａ）の管理テーブルは、アドレス情報の提供元を示す識別情報の優先順位８１を定義している。アドレス情報の信頼性が高い提供元ほど、高い優先順位に定義付けされる。この例の管理テーブルは、情報提供元の信頼性に基づいて、アドレス情報を並び替える場合などに使用される。
【００５７】
図中、情報源８３の欄に記述されている「本体」は、通信端末装置１０の記憶装置１９を示し、「サーバＡ」および「サーバＢ」は、２つの異なるディレクトリサーバ４３を略称でそれぞれ示している。ここでは、記憶装置１９に記憶されているアドレス情報の信頼性が一番高いため、「本体」の優先順位８１が１位に定義されている。
【００５８】
図６（ｂ）の管理テーブルは、アドレス情報の最新の通信記録であり、通信日時８５や結果８６が記録されている。
【００５９】
図６（ｃ）の管理テーブルは、記憶装置１９の登録情報記憶領域１２３に格納されているアドレス情報の更新記録であり、アドレス情報の更新日時８７が記録されている。
【００６０】
図６（ｂ）および図６（ｃ）の例においては、すべての通信方式について同じ管理テーブルを使用しているが、これに限定されるものではなく、通信方式毎にそれぞれ管理テーブルを設けてもよい。
【００６１】
以上のように構成された通信端末装置１０の動作について、以下に説明する。図７は、本実施の形態の通信端末装置の動作を示すフローチャートである。
【００６２】
まず、ソート部１３７は、抽出部１１５から抽出されたアドレス情報を受け取る（Ｓ４１）。ステップＳ４１で受け取ったアドレス情報の宛先によって処理を分岐する（Ｓ４５）。いずれの場合も、管理テーブル記憶領域１２５に記憶された管理テーブルを参照して、管理テーブルに基づいて、アドレス情報の並べ替えを行う。
【００６３】
宛先がファクシミリ番号の場合（Ｓ４５のＦＡＸ）、図６（ｂ）に示した管理テーブルを使用して、通信実績に基づいて、アドレス情報を並び替える（Ｓ５１）。宛先が電話番号の場合（Ｓ４５のＴＥＬ）、図６（ａ）に示した管理テーブルを使用して、情報提供元の信頼性に基づいて、アドレス情報を並び替える（Ｓ５３）。宛先がインターネットファックス番号の場合（Ｓ４５のＩ−ＦＡＸ）、図６（ｂ）および図６（ｃ）に示した管理テーブルを使用して、登録日時と通信日時が最新の順に、アドレス情報を並び替える（Ｓ５５）。
【００６４】
こうして並び替えられたアドレス情報は、図８に示す例のように表示処理部１０９によって表示部１５に表示される。
【００６５】
このようにして、通信端末装置１０は、検索によって得られたアドレス情報を信頼性の高い順に並び替えてユーザに通知することができる。これにより、一つの宛先に対して複数のアドレス情報が重複して得られた場合でも、どのアドレス情報を使用すべきかユーザは判断しやすくなるので、使い勝手が向上する。
【００６６】
以上に本発明の好適な実施の形態を説明した。しかし、本発明は上述の実施の形態に限定されず、当業者が本発明の範囲内で上述の実施の形態を変形可能なことはもちろんである。
【００６７】
なお、通信端末装置１０が宛先として指定可能なアドレス情報は、上述の電話番号、ファクシミリ番号、メールアドレスなど以外にも、ＵＲＬ、ＦＴＰパス、共有フォルダのパスなども含むことができる。
【００６８】
また、図７のフローチャートの処理は、抽出結果に重複した宛先のアドレス情報がない場合は、省略することもできる。
【００６９】
なお、図７の宛先別による信頼性の度合いの検出のステップＳ５１〜Ｓ５５の処理は、これに限定されるものではない。たとえば、信頼性の度合いの検出には、宛先別に異なる管理テーブルを使用してもよいし、複数の宛先で同じ管理テーブルを使用してもよい。また、信頼性の度合いの検出には、複数の管理テーブルを組み合わせて使用しても良い。上述の例では、信頼性の高い順にアドレス情報を並べ替えて表示部１５に表示させているが、これに限定されるものではない。他の例では、信頼性の度合いを示す情報を検索結果とともに表示部１５に表示させてもよいし、あるいは、信頼性が高い情報だけを選択して表示部１５に表示させてもよい。
【００７０】
また、通信端末装置１０は、提供元毎に、提供されたアドレス情報の通信実績を分析し、提供元の信頼性を算出し、管理テーブルを更新する更新部（不図示）を設けることもできる。 
【産業上の利用可能性】
【００７１】
本発明にかかる通信端末装置は、ディレクトリサーバおよび装置内の両方の情報を利用して、のアドレス情報が効率よく入手できるという効果を有し、ディレクトリサービスを利用してアドレス情報を取得して通信を行う通信端末装置等として有用である。
【図面の簡単な説明】
【００７２】
【図１】本実施の形態の通信端末装置のネットワーク構成を示すブロック図である。
【図２】図１の通信端末装置の制御部の機能ブロック図である。
【図３】図１の通信端末装置の動作を示すフローチャートである。
【図４】図１の通信端末装置の検索結果表示の例を示す図である。
【図５】他の実施の形態の通信端末装置の制御部の機能ブロック図である。
【図６】図５の通信端末装置で使用される管理テーブルの例を示す図である。
【図７】図５の通信端末装置の動作を示すフローチャートである。
【図８】図５の通信端末装置の検索結果表示の例を示す図である。
【符号の説明】
【００７３】
１０  通信端末装置
１１  通信部
１３  操作部
１５  表示部
１７  制御部
１９  記憶装置
２１  インタフェース部
４１  ネットワーク
４３  ディレクトリサーバ
１０１  通信方式指定部
１０３  検索条件受付部
１０５  アドレス情報取得部
１０９  表示処理部
１１１  指示受付部
１１３  通信制御部
１１５  抽出部
１２１  取得情報記憶領域
１２３  対応テーブル記憶領域
１２５  管理テーブル記憶領域
１３１  アドレス情報登録部
１３３  通信検知部
１３５  管理部
１３７  ソート部
【図１】
2005191920.tif 000003
【図２】
2005191920.tif 000004
【図３】
2005191920.tif 000005
【図４】
2005191920.tif 000006
【図５】
2005191920.tif 000007
【図６】
2005191920.tif 000008
【図７】
2005191920.tif 000009
【図８】
2005191920.tif 000010